(57)【要約】      （修正有）【課題】端子部が回転または回動する同軸ケーブル接続器において、前記回転または回動する端子部の周囲での電気的な特性の劣化を容易に防ぐ。【解決手段】同軸ケーブルもしくはその先端に取り付けられたプラグを接続する２つ以上の端子部と、前記端子部の外部導体同士を接続する外部導体接続部および前記端子部の中心導体同士を接続する中心導体接続部を備え、少なくとも１つの端子部は、前記外部導体接続部と接する側の端部に、可動支点部を有する同軸ケーブル接続器であって、前記可動支点部を有する端子部は、前記可動支点部と前記端子部の中心軸方向とがあらかじめ定められた角度をなし、前記可動支点部の中心導体と前記中心導体接続部は、電気的接続を保った状態で接触しており、前記端子部は、前記可動支点部を支点とした回転運動をし、かつ、連続的に回転運動をさせたときに前記可動支点部を頂角とする円すい状の軌道を描く同軸ケーブル接続器である。【選択図】図３
2005216702.tif 000002
【特許請求の範囲】
【請求項１】
同軸ケーブルもしくは同軸ケーブルの先端に取り付けられたプラグを接続する２つ以上の端子部と、前記端子部の外部導体同士を接続する外部導体接続部および前記端子部の中心導体同士を接続する中心導体接続部を備え、前記端子部のうち、少なくとも１つの端子部は、前記外部導体接続部と接する側の端部に、可動支点部を有する同軸ケーブル接続器であって、
前記可動支点部を有する端子部は、前記可動支点部の中心軸方向と前記端子部の中心軸方向とがあらかじめ定められた角度をなし、前記可動支点部の中心導体と前記中心導体接続部は、電気的接続を保った状態で接触しており、
前記端子部は、前記可動支点部を支点とした回転運動をし、かつ、連続的に回転運動をさせたときに前記可動支点部を頂角とする円すい状の軌道を描くこと特徴とする同軸ケーブル接続器。
【請求項２】
前記可動支点部の中心軸方向と前記端子部の中心軸方向とのなす角が４５度もしくはほぼ４５度であることを特徴とする請求項１に記載の同軸ケーブル接続器。
【請求項３】
前記可動支点部を有する端子部は、前記可動支点部の外周面を１周する溝が設けられ、前記外部導体接続部は、前記可動支点部の溝と対応する溝が設けられており、前記可動支点部の溝と前記外部導体接続部の溝により生じる空間に抜け防止ピンが挿入されていることを特徴とする請求項１または請求項２に記載の同軸ケーブル接続器。
【請求項４】
前記可動支点部を有する端子部は、前記可動支点部の外周面を１周する溝が２箇所以上に設けられ、前記外部導体接続部は、前記可動支点部の溝と対応する溝が設けられ、前記可動支点部の溝と前記外部導体接続部の溝により生じる空間に抜け防止ピンが挿入されており、
前記可動支点部の外周面に設けられた溝のうち、前記抜け防止ピンが挿入された溝とは異なる溝に、導電性を有し、かつ、前記可動支点部及び前記外部導体接続部と密接する弾性体部材が設けられており、
前記端子部は、前記端子部側の同軸ケーブルの中心導体もしくは前記プラグの中心導体と、前記可動支点部側の中心導体とを電気的に接続するための開口部を備え、前記開口部が導電性の蓋で覆われていることを特徴とする請求項１または請求項２に記載の同軸ケーブル接続器。
【請求項５】
前記端子部は、前記可動支点部を有する１つの端子部と、前記外部導体接続部と一体的に設けられた外部導体及び前記外部導体の内部空間に設けられた中心導体からなる１つのプラグ状端子部でなり、
前記可動支点部を有する端子部は、同軸ケーブルを直接接続する端子であることを特徴とする請求項１乃至請求項４のいずれか１項に記載の同軸ケーブル接続器。
【請求項６】
前記端子部は、前記可動支点部を有し、前記外部導体接続部と電気的に接続された外部導体および前記可動支点部の中心導体と電気的に接続された中心導体からなる複数個のプラグ状端子部でなり、
前記中心導体接続部は、前記プラグ状端子部のうちの１つに接続された同軸ケーブルから入力された信号を、他のプラグ状端子部に接続された同軸ケーブルに分配あるいは分岐して出力する回路を備えることを特徴とする請求項１乃至請求項４のいずれか１項に記載の同軸ケーブル接続器。
【請求項７】
前記端子部は、前記可動支点部を有する１つの端子部と、前記外部導体接続部と一体的に設けられた外部導体及び前記外部導体の内部空間に設けられた中心導体からなる１つのプラグ状端子部でなり、
前記可動支点部を有する端子部は、前記外部導体接続部と電気的に接続された外部導体及び前記可動支点部の中心導体と電気的に接続された中心導体からなるプラグ状端子部であることを特徴とする請求項１乃至請求項４のいずれか１項に記載の同軸ケーブル接続器。
【発明の詳細な説明】
【技術分野】
【０００１】
本発明は、同軸ケーブル接続器に関し、特に、同軸ケーブルの先端に取り付けるプラグ、分配器または分岐器、あるいは同軸ケーブル中継器（連結器）に適用して有効な技術に関するものである。
【背景技術】
【０００２】
従来、データ伝送用のケーブルとして、銅の芯線（以下、中心導体と称する）の周囲に、絶縁体を介在させて、例えば、網状の銅線などの外部導体を設けた同軸ケーブルが知られている。このとき、前記外部導体は、前記中心導体の周囲を囲み、かつ、規定のインピーダンスをなすように、前記中心導体と同軸構造状に設けられている。そのため、前記外部導体は、外部からのノイズを遮蔽する、あるいは前記中心導体を伝送する信号の漏れによる劣化を防ぐという効果を持つ。そのため、前記同軸ケーブルは、テレビ信号などの高周波信号を伝送するケーブルとして広く使用されている。
【０００３】
また、前記同軸ケーブルを、例えば、テレビアンテナやテレビ受像機などに接続するときには、前記同軸ケーブルの両端に、前記同軸ケーブルの中心導体と電気的に接続された中心導体及び前記同軸ケーブルの外部導体と電気的に接続された外部導体を有するプラグ状端子が取り付けられたプラグ付き同軸ケーブルを用いるのが一般的である。
【０００４】
前記プラグ付き同軸ケーブルには、従来、前記同軸ケーブルの中心導体の軸方向と前記プラグ状端子の中心導体の軸方向が平行なストレートタイプと呼ばれるケーブルと、前記同軸ケーブルの中心導体の軸方向と前記プラグ状端子の中心導体の軸方向が直交するライトアングルタイプと呼ばれるケーブルの２種類がある。そして、用途、すなわち接続する場所や機器に応じて、前記ストレートタイプおよび前記ライトアングルタイプのプラグ付き同軸ケーブルを使い分けている。
【０００５】
しかしながら、従来のプラグ付き同軸ケーブルは、前述のように、前記同軸ケーブルの中心導体の軸方向と前記プラグ状端子の中心導体の軸方向が平行あるいは垂直のどちらかに固定されている。そのため、用途が変わり、例えば、ストレートタイプよりもライトアングルタイプのほうがよいといったような場合には、前記ライトアングルタイプのプラグが取り付けられたプラグ付き同軸ケーブルを購入するか、プラグ状端子部を付け替えるといった作業を行わなければならない。
【０００６】
また、例えば、室外のテレビアンテナに接続された同軸ケーブルを室内に引き込むときには、一般に、分配器あるいは分岐器が用いられる。このとき、従来の前記分配器あるいは分岐器に設けられた入力端子および出力端子は、一般に、前記プラグ付き同軸ケーブルのプラグと対をなす形状の端子になっている。ところが、前記従来の分配器あるいは分岐器では、前記入力端子および出力端子の各端子の中心導体の軸方向が固定されている。そのため、例えば、出力端子に接続する同軸ケーブルの引き回し方向によっては、前記同軸ケーブルに大きな曲げ変形が加わり、断線したり、電気的特性が劣化したりするという問題がある。
【０００７】
このように、前記プラグ付き同軸ケーブルのプラグ状端子、分配器あるいは分岐器、前記プラグ付き同軸ケーブル同士を接続して延長する中継器などの同軸ケーブル接続器の場合、用途に応じて、前記端子部の中心導体の軸方向が適した方向を向いているものを選択して用いなければならないという問題があった。このような問題を解決する方法として、近年、前記端子部が回転または回動するような同軸ケーブル接続器が提案されている（例えば、特許文献１，特許文献２，特許文献３を参照。）。
【０００８】
しかしながら、前記特許文献１，特許文献２，特許文献３に記載されたような同軸ケーブル接続器では、回転または回動する端子部において、外部導体同士及び中心導体同士の電気的な接続を保ち、かつ、外部からのノイズあるいは中心導体を伝送する信号の漏れによる信号の劣化を防ぐために複雑な構造になる。そのため、組み立てに使用する部品の数が多くなるとともに組み立て作業が複雑になるという問題がある。
【特許文献１】特願２００２−１７１５３２号明細書
【特許文献２】特願２００３−３７５３１号明細書
【特許文献３】特願２００２−２２０６４１号明細書
【発明の開示】
【発明が解決しようとする課題】
【０００９】
本発明が解決しようとする問題点は、前記背景技術で説明したように、従来の端子部が回転または回動する前記同軸ケーブル接続器は、前記回転または回動する前記端子部の周囲で電気的な特性が劣化するのを防ぐことが難しいという点である。また、前記回転または回動する前記端子部の周囲で電気的な特性が劣化するのを防ぐために、構成が複雑になり部品点数が増加する、組み立て作業が複雑化するという点である。
【００１０】
本発明の目的は、端子部が回転または回動する同軸ケーブル用のプラグ状端子，分配器または分岐器，中継器などの同軸ケーブル接続器において、前記回転または回動する端子部の周囲での電気的な特性の劣化を容易に防ぐことが可能な技術を提供することにある。
【００１１】
本発明の他の目的は、端子部が回転または回動する同軸ケーブル用のプラグ状端子，分配器または分岐器，中継器などの同軸ケーブル接続器において、前記回転または回動する端子部の構成を簡単にして部品点数を減らし、組み立て作業を簡単にすることが可能な技術を提供することにある。
【００１２】
本発明の前記ならびにその他の目的と新規な特徴は、本明細書の記述及び添付図面によって明らかになるであろう。
【課題を解決するための手段】
【００１３】
本願において開示される発明の概略を説明すれば、以下の通りである。
【００１４】
（１）  同軸ケーブルもしくは同軸ケーブルの先端に取り付けられたプラグを接続する２つ以上の端子部と、前記端子部の外部導体同士を接続する外部導体接続部および前記端子部の中心導体同士を接続する中心導体接続部を備え、前記端子部のうち、少なくとも１つの端子部は、前記外部導体接続部と接する側の端部に、可動支点部を有する同軸ケーブル接続器であって、前記可動支点部を有する端子部は、前記可動支点部の中心軸方向と前記端子部の中心軸方向とがあらかじめ定められた角度をなし、前記可動支点部の中心導体と前記中心導体接続部は、電気的接続を保った状態で接触しており、前記端子部は、前記可動支点部を支点とした回転運動をし、かつ、連続的に回転運動をさせたときに前記可動支点部を頂角とする円すい状の軌道を描く同軸ケーブル接続器である。
【００１５】
（２）  前記（１）の手段において、前記可動支点部の中心軸方向と前記端子部の中心軸方向とのなす角が４５度もしくはほぼ４５度である。
【００１６】
（３）  前記（１）または（２）の手段において、前記可動支点部を有する端子部は、前記可動支点部の外周面を１周する溝が設けられ、前記外部導体接続部は、前記可動支点部の溝と対応する溝が設けられており、前記可動支点部の溝と前記外部導体接続部の溝により生じる空間に抜け防止ピンが挿入されている。
【００１７】
（４）  前記（１）または（２）の手段において、前記可動支点部を有する端子部は、前記可動支点部の外周面を１周する溝が２箇所以上に設けられ、前記外部導体接続部は、前記可動支点部の溝と対応する溝が設けられ、前記可動支点部の溝と前記外部導体接続部の溝により生じる空間に抜け防止ピンが挿入されており、前記可動支点部の外周面に設けられた溝のうち、前記抜け防止ピンが挿入された溝とは異なる溝に、導電性を有し、かつ、前記可動支点部及び前記外部導体接続部と密接する弾性体部材が設けられており、前記端子部は、前記端子部側の同軸ケーブルの中心導体もしくは前記プラグの中心導体と、前記可動支点部側の中心導体とを電気的に接続するための開口部を備え、前記開口部が導電性の蓋で覆われている。
【００１８】
（５）  前記（１）から（４）の手段において、前記端子部は、前記可動支点部を有する１つの端子部と、前記外部導体接続部と一体的に設けられた外部導体及び前記外部導体の内部空間に設けられた中心導体からなる１つのプラグ状端子部でなり、前記可動支点部を有する端子部は、同軸ケーブルを直接接続する端子である。
【００１９】
（６）  前記（１）から（４）の手段において、前記端子部は、前記可動支点部を有し、前記外部導体接続部と電気的に接続された外部導体および前記可動支点部の中心導体と電気的に接続された中心導体からなる複数個のプラグ状端子部でなり、前記中心導体接続部は、前記プラグ状端子部のうちの１つに接続された同軸ケーブルから入力された信号を、他のプラグ状端子部に接続された同軸ケーブルに分配あるいは分岐して出力する回路を備える。
【００２０】
（７）  前記（１）から（４）の手段において、前記端子部は、前記可動支点部を有する１つの端子部と、前記外部導体接続部と一体的に設けられた外部導体及び前記外部導体の内部空間に設けられた中心導体からなる１つのプラグ状端子部でなり、前記可動支点部を有する端子部は、前記外部導体接続部と電気的に接続された外部導体及び前記可動支点部の中心導体と電気的に接続された中心導体からなるプラグ状端子部である。
【発明の効果】
【００２１】
本発明の同軸ケーブル接続器は、前記（１）の手段のように、前記可動支点部を有する端子部が、前記可動支点部を頂角とする円すい状の軌道を描くように回動する。そのため、前記端子部に取り付ける同軸ケーブルの引き回し方向に応じて、前記端子部の中心導体の軸方向を変えることができる。このとき、前記（２）の手段のようにすることで、前記端子部の中心導体の軸方向を９０度変えることができる。また、前記可動支点部の円周面に、前記（３）あるいは（４）の手段のように、前記抜け防止ピンを設けることで、前記可動支点部を有する端子部が前記外部導体接続部からはずれるのを防ぐことができる。また、前記（４）の手段のように、前記可動支点部の円周面に前記弾性体部材を設けることで、前記可動支点部と前記外部導体接続部との接触面の電気的なシールド効果を容易に向上させることができる。また、前記（４）の手段のように、前記同軸ケーブルまたは前記プラグの中心導体と前記可動支点部側の中心導体とを電気的に接続するための開口部を備えていれば、前記各中心導体の接続作業が容易である。このとき、前記開口部を導電性のふたで覆えば、前記開口部から外部のノイズが進入したり、前記中心導体を伝送する信号が漏れたりするのを防げる。
【００２２】
また、本発明の同軸ケーブル接続器は、例えば、前記（５）の手段のように、同軸ケーブルの先端に取り付けるプラグ状端子に適用することができる。前記（５）の手段の同軸ケーブル接続器（プラグ状端子）を取り付けたプラグ付き同軸ケーブルは、１本で、ストレートタイプ及びライトアングルタイプの使い分けが可能である。
【００２３】
また、本発明の同軸ケーブル接続器は、例えば、前記（６）の手段のように、１つの端子部（入力端子）から入力された信号を、複数の端子部（出力端子）に分配して出力する分配器、あるいはある端子（出力端子）を選択して出力する分岐器に適用することもできる。前記（６）の手段の分配器あるいは分岐器は、前記各端子部が回動可能な範囲内において、前記各端子部の中心導体の軸方向を変えることができるので、設置場所あるいは各端子部に接続した同軸ケーブルの引き回し方向に起因する同軸ケーブルの大きな曲げ変形を防ぐことができる。
【００２４】
また、本発明の同軸ケーブル接続器は、前記（５）の手段のように、同軸ケーブルの先端に取り付けるプラグ状端子に適用できるだけでなく、例えば、２本のプラグ付き同軸ケーブルを接続（連結）する中継器にも適用することができる。この場合、前記可動支点部を有する端子部を、前記（７）の手段のように、前記プラグ付き同軸ケーブルのプラグと対をなす形状の端子部とすればよい。一般に、前記プラグ付き同軸ケーブルのプラグはオス型であるため、その場合、前記同軸ケーブル接続器の端子部はメス型とする。
【００２５】
以下、本発明について、図面を参照して実施の形態（実施例）とともに詳細に説明する。
なお、実施例を説明するための全図において、同一機能を有するものは、同一符号を付け、その繰り返しの説明は省略する。
【発明を実施するための最良の形態】
【００２６】
本発明の同軸ケーブル接続器では、端子部に設けられた可動支点部の中心導体の軸方向と、前記端子部の中心導体の軸方向とのなす角が、あらかじめ定められた角度、例えば、４５度またはほぼ４５度となるようにする。このようにすると、前記可動支点部を回転軸として前記端子部を回転運動させたときに、前記端子部は、前記可動支点部を頂角とした円すい状の軌道を描きながら運動する。
【００２７】
図１乃至図７は、本発明の同軸ケーブル接続器の原理を説明するための模式図であり、図１（ａ）および図１（ｂ）は可動支点部を有する端子部の概略構成を示す図、図２（ａ）および図２（ｂ）は前記可動支点部を有する端子部を取り付ける外部導体接続部の概略構成を示す図、図３（ａ）および図３（ｂ）は前記可動支点部を有する端子部の取り付け方法を説明する図、図４（ａ）および図４（ｂ）は本発明の同軸ケーブル接続器の作用効果を説明する図、図５（ａ）および図５（ｂ）ならびに図５（ｃ）は前記端子部の抜け防止方法の一例を説明する図、図６はシールド効果を向上させる方法の一例を説明する図、図７は応用例を説明する図である。また、図２（ｂ）は図２（ａ）のＡ−Ａ’線で切断して見たときの断面図である。
図１乃至図７において、１Ａは端子部、１Ｂは可動支点部、１Ｃは溝、２は端子部の外部導体、２Ａは開口部、２Ｂは圧入蓋、３は同軸ケーブル、３Ａは同軸ケーブルの中心導体、３Ｂは同軸ケーブルの外部導体、４Ａは可動支点部の中心導体、４Ｂはブッシュ、５は外部導体接続部、５Ａは外部導体接続部の開口部、５Ｂは外部導体接続部の内部空間、５Ｃは開口部（溝）、６Ａは外部導体接続部の内部空間の中心導体、６Ｂはブッシュ、７は抜け防止ピン、８は導電性弾性体材料、９はバネ状の中心導体である。
【００２８】
本発明の同軸ケーブル接続器では、同軸ケーブル、もしくは前記同軸ケーブルに取り付けられたプラグを接続する端子部１Ａは、図１（ａ）に示すように、前記同軸ケーブルの外部端子と電気的に接続される外部導体２が円筒状をしており、その一端に可動支点部１Ｂが設けられている。また、前記端子部１Ａの中心軸と前記可動支点部１Ｂの中心軸のなす角は、例えば、４５度であるとする。
【００２９】
またこのとき、前記端子部１Ａに、例えば、前記同軸ケーブルを直接接続するとすれば、図１（ｂ）に示すように、中心導体３Ａおよび外部導体３Ｂを露出させた同軸ケーブル３を前記端子部１Ａに挿入した後、前記同軸ケーブル３の外部導体３Ｂが露出した部分をかしめて、前記端子部１Ａと同軸ケーブル３の外部導体を電気的に接続させる。また、前記可動支点部１Ｂの内部空間には、図１（ｂ）に示すように、開口端側がバネ状の中心導体４Ａを設ける。このとき、前記中心導体４Ａは、ブッシュ４Ｂを利用して、前記可動支点部１Ｂの中心軸（同心軸）の近傍に保持する。また、前記外部導体２には、例えば、図１（ｂ）に示すように、開口部２Ａを設けておき、前記開口部２Ａを利用して、前記同軸ケーブル３の中心導体３Ａと前記可動支点部１Ｂの中心導体４Ａを電気的に接続する。この接続は、例えば、はんだ付けで行う。そして、前記同軸ケーブル３の中心導体３Ａと前記可動支点部１Ｂの中心導体４Ａをはんだ付けしたら、前記開口部２Ａに導電性材料でなる圧入蓋２Ｂをし、前記開口部２Ａをふさぐ。またこのとき、前記端子部１Ａは、円筒状であることが好ましいが、前記圧入蓋２Ｂをしやすいように、前記開口部２Ａの周囲のみ表面を平坦に加工していてもよい。
【００３０】
一方、前記可動支点部１Ｂを有する前記端子部１Ａを取り付ける外部導体接続部５は、例えば、図２（ａ）および図２（ｂ）に示すように、前記可動支点部１Ｂの外形と対応する開口部５Ａが設けられている。また、前記外部導体接続部５は、例えば、図２（ｂ）に示したように、内部空間５Ｂを有するので、前記開口部５Ａは、前記外部導体接続部５の内部空間５Ｂに貫通するように設ける。
【００３１】
前記可動支点部１Ｂを有する端子部１Ａを前記外部導体接続部５に取り付けるときには、例えば、図３（ａ）に示すように、前記外部導体接続部５の内部空間５Ｂに、前記可動支点部１Ｂの中心導体４Ａと電気的に接続する中心導体６Ａをブッシュ６Ｂ等で固定しておき、前記可動支点部１Ｂを前記開口部５Ａに挿入する。このとき、前記外部導体接続部５の内部空間５Ｂに固定した中心導体６Ａは、図３（ｂ）に示すように、前記可動支点部１Ｂの中心導体４Ａのバネ状の部分に挟み込むように挿入し、電気的接続を確保する。またこのとき、前記外部導体接続部の内部空間５Ｂに固定した中心導体６Ａと前記可動支点部の中心導体４Ａは、物理的には接触している状態とする。同様に、前記外部導体接続部５と前記可動支点部１Ｂも、物理的には接触している状態とする。
【００３２】
このとき、前記可動支点部の中心導体４Ａは、前記可動支点部の中心軸の近傍にある。そのため、前記端子部１Ａは、図４（ａ）に示すように、前記可動支点部を回転軸として回転運動をさせることができる。このとき、前記可動支点部１Ｂの中心軸と前記外部導体接続部５の内部空間に固定した中心導体６Ａの軸方向のなす角が、例えば、４５度であれば、図４（ａ）に示したように、前記端子部１Ａの中心軸の軸方向を、前記外部導体接続部の内部空間に固定した中心導体６Ａの軸方向と直交および平行にすることができる。またこのとき、前記端子部１Ａの中心軸は前記可動支点部１Ｂの中心軸と４５度の角度で交わっている。そのため、前記端子部１Ａは、従来の、例えば、特願２００２−１７１５３１などに記載されたような一つの平面上での回転運動ではなく、図４（ｂ）に示すように、前記端子部１Ａが円すい状の軌道を描くように回動する。
【００３３】
また、本発明の同軸ケーブル接続器では、図３（ｂ）に示したように、前記可動支点部１Ｂを、単純に前記外部導体接続部５の開口部５Ａに挿入しただけでは、使用中に抜けてしまう可能性が高い。そのため、例えば、図５（ａ）および図５（ｂ）に示すように、前記可動支点部１Ｂの外周面を１周する溝１Ｃを設け、前記外部導体接続部５の開口部５Ａの内周面に前記可動支点部１Ｂの外周面の溝１Ｃと対応する溝または開口部５Ｃを設ける。そして、前記可動支点部１Ｂを挿入した後、図５（ｃ）に示すように、前記可動支点部を挿入の溝１Ｃと前記外部導体接続部の溝（開口部）５Ｃによって生じる空間（開口部）に抜け防止ピン７を挿入し、機械的に係合させる。このようにすることで、前記端子部１Ａの抜けを防ぐことができる。また、前記可動支点部１Ｂの溝１Ｃを、外周面を１周するように設けておけば、前記端子部１Ａを前記可動支点部１Ｂの中心軸周りに３６０度回転させることができる。
【００３４】
また、本発明の同軸ケーブル接続器では、前記可動支点部１Ｂの外周面と前記外部導体接続部５の開口部５Ａの内周面が密着すると、回転運動をさせにくくなるとともに、摩耗による劣化が早くなる。また、加工精度の面からみても、前記可動支点部１Ｂの外周面の寸法と、前記外部導体接続部５の開口部５Ａの内周面の寸法を完全に一致させることは難しい。そのため、実際には、前記可動支点部１Ｂの外周面と前記外部導体接続部５の開口部５Ａの内周面の間には若干の隙間が生じている。そこで、例えば、図６に示すように、前記可動支点部１Ｂに、前記抜け防止ピン用の溝１Ｃとは別に、もう１本の溝（図示しない）を設ける。そして、その溝に、例えば、導電性ゴムなどの、導電性を有し、かつ、前記可動支点部及び前記外部導体接続部と密接する弾性体部材８が設ける。こうすることで、前記端子部１Ａの回動を容易にすると同時に、前記可動支点部１Ｂ及び前記外部導体接続部５の隙間の電気的なシールド効果を得ることができる。
【００３５】
また、前記可動支点部１Ｂを有する端子部１Ａは、例えば、図１（ｂ）に示したように、同軸ケーブルを直接接続する端子部に限らず、プラグ付き同軸ケーブルを接続するプラグ状の端子部であってもよい。その場合、前記端子部は、例えば、図７に示すように、外部導体２の内部空間にバネ状の中心導体９を設け、前記バネ状の中心導体９と前記可動支点部１Ｂの中心導体４Ａを電気的に接続すればよい。このとき、図示は省略しているが、前記バネ状の中心導体９は、ブッシュ等の絶縁体材料（図示しない）で、前記端子部の中心軸の近傍に固定しておけばよい。
【００３６】
以下、本発明を適用した同軸ケーブル接続器の具体例について説明する。
【実施例１】
【００３７】
図８は、本発明による実施例１の同軸ケーブル接続器の概略構成を示す模式図であり、図８（ａ）は概略構成を示す図、図８（ｂ）は作用効果を説明する図である。
【００３８】
本実施例１の同軸ケーブル接続器は、例えば、プラグ付き同軸ケーブルのプラグのように、同軸ケーブルを壁面あるいはテレビ受像器などに設けられた端子（プラグ）に接続するために用いる接続器である。このとき、前記同軸ケーブル３は、例えば、図１（ｂ）に示すように、前記可動支点部１Ｂを有する端子部１Ａに取り付けるとする。またこのとき、前記外部導体接続部５は、例えば、図８（ａ）に示すように、前記同軸ケーブル３を前記壁面などに設けられた端子に接続するためのプラグの外部導体５Ｄと一体的な構造にし、ブッシュ６Ｂ等で前記プラグの外部導体５Ｄの中心軸付近に保持した中心導体６Ａの一端を前記可動支点部１Ｂの中心導体４Ａと電気的に接続する。また、前記プラグの外部導体５Ｄの内周面には、例えば、図８（ａ）に示したように、内バネ１０を設けておく。また、前記内バネ１０の代わりに、ねじ切りを施しておいてもよい。
【００３９】
本実施例１のプラグ（同軸ケーブル接続器）を取り付けた同軸ケーブル３を、例えば、壁面１１に設置されたテレビ端子１２に接続するときには、例えば、図８（ｂ）に示すように、前記同軸ケーブル３を壁面１１に沿って引き回すことができる。また、前記同軸ケーブル３が取り付けられた端子部１Ａを、前記可動支点部１Ｂの中心軸周りに回動させれば、図８（ｂ）において破線で示したように、前記同軸ケーブル３を、前記壁面１１と直交する方向に引き出すこともできる。
【００４０】
このように、本実施例１の同軸ケーブル接続器を同軸ケーブルに取り付ければ、１本のプラグ付き同軸ケーブルで、従来のストレートタイプ，ライトアングルタイプの両方の用途に適した使い方ができる。
【実施例２】
【００４１】
図９および図１０は、本発明による実施例２の同軸ケーブル接続器の概略構成を示す模式図であり、図９（ａ）は同軸ケーブル接続器の上面図、図９（ｂ）は図９（ａ）の正面図、図９（ｃ）は正面から見た内部構造を示す図、図１０は作用効果を説明する図である。
【００４２】
本実施例２の同軸ケーブル接続器は、分配器あるいは分岐器と呼ばれる接続器であり、例えば、図９（ａ）および図９（ｂ）に示すように、前記外部導体接続部５に、３つの端子部１Ａが設けられている。このとき、前記３つの端子部１Ａはそれぞれ、図７に示したように、前記プラグ付き同軸ケーブルのプラグと対応する形状のプラグ状端子であるとする。また、前記外部導体接続部５の内部空間に設けられ、前記各端子の可動支点部１Ｂの中心導体４Ａと接続された中心導体６Ａ同士は、図９（ｃ）に示すように、プリント回路板１３によって電気的に接続されている。このとき、前記プリント回路板１３は、ある端子から入力された信号を他の端子に分配する分配回路、またはある端子から入力された信号を指定された端子に出力する分岐回路、あるいは前記分配回路および分岐回路の両方が設けられているとする。
【００４３】
また、前記外部導体接続部５は、内部空間５Ｂに前記プリント回路板１３を挿入して前記各中心導体６Ａ同士を電気的に接続するため、図９（ｃ）に示したように、ある面（下面）が開口している。そのため、前記内部空間５Ｂに前記プリント回路板１３を挿入して前記各中心導体６Ａ同士を電気的に接続したのち、前記内部空間５Ｂの開口した面は、図９（ｃ）に示したように、圧入蓋１４でふさぐ。
【００４４】
本実施例２の分配器あるいは分岐器（同軸ケーブル接続器）では、前記各端子部１Ａが、図７に示したような構成になっている。そのため、図１０に示すように、前記各端子部１Ａが、それぞれ独立して、前記可動支点部１Ｂを頂角とする円すい状の軌道を描くように回動することができる。つまり、１つの分配器あるいは分岐器で、前記各端子部１Ａの中心軸の方向が異なる数通りの分配器あるいは分岐器として用いることができる。そのため、各端子に接続した同軸ケーブルの引き回し方向に対する自由度が増し、同軸ケーブルに大きな曲げ変形が加わることによる断線や電気的特性の劣化を防ぐことができる。
【実施例３】
【００４５】
図１１は、本発明による実施例３の同軸ケーブル接続器の概略構成を示す模式図であり、図１１（ａ）は概略構成を示す図、図１１（ｂ）は作用効果を説明する図である。
【００４６】
本実施例３の同軸ケーブル接続器は、例えば、図１１（ａ）に示すように、前記プラグ付き同軸ケーブル同士を接続して延長するときなどに用いる中継器である。このとき、前記可動支点部１Ｂを有する端子部１Ａは、例えば、図７に示したような構成であるため、詳細な説明は省略する。また、もう一方の端子部も、前記実施例１で説明したプラグ付き同軸ケーブル用のプラグと対をなす形状とし、前記外部導体接続部５と一体的に構成された外部導体５Ｄと、ブッシュ等で前記外部導体５Ｄの中心軸の近傍に指示されたバネ状の中心導体９を備える。
【００４７】
本実施例３の中継器（同軸ケーブル接続器）の場合も、前記実施例１，実施例２と同様に、前記端子部１Ａが、前記可動支点部１Ｂを頂角とする円すい状の軌道を描くように回動する。そのため、１つの中継器で、従来の前記２つの端子（プラグ）の中心軸が直交する中継器および平行な中継器の２通りの使い方ができる。
【００４８】
以上、本発明を、前記実施例に基づき具体的に説明したが、本発明は、前記実施例に限定されるものではなく、その要旨を逸脱しない範囲において、種々変更可能であることはもちろんである。
【図面の簡単な説明】
【００４９】
【図１】本発明の同軸ケーブル接続器の原理を説明するための模式図であり、図１（ａ）および図１（ｂ）は可動支点部を有する端子部の概略構成を示す図である。
【図２】本発明の同軸ケーブル接続器の原理を説明するための模式図であり、図２（ａ）および図２（ｂ）は前記可動支点部を有する端子部を取り付ける外部導体接続部の概略構成を示す図である。
【図３】本発明の同軸ケーブル接続器の原理を説明するための模式図であり、図３（ａ）および図３（ｂ）は前記可動支点部を有する端子部の取り付け方法を説明する図である。
【図４】本発明の同軸ケーブル接続器の原理を説明するための模式図であり、図４（ａ）および図４（ｂ）は本発明の同軸ケーブル接続器の特徴を説明する図である。
【図５】本発明の同軸ケーブル接続器の原理を説明するための模式図であり、図５（ａ）および図５（ｂ）は前記端子部の抜け防止方法の一例を説明する図である。
【図６】本発明の同軸ケーブル接続器の原理を説明するための模式図であり、シールド効果を向上させる方法の一例を説明する図である。
【図７】本発明の同軸ケーブル接続器の原理を説明するための模式図であり、応用例を説明する図である。
【図８】本発明による実施例１の同軸ケーブル接続器の概略構成を示す模式図であり、図８（ａ）は概略構成を示す図、図８（ｂ）は作用効果を説明する図である。
【図９】本発明による実施例２の同軸ケーブル接続器の概略構成を示す模式図であり、図９（ａ）は同軸ケーブル接続器の上面図、図９（ｂ）は図９（ａ）の正面図、図９（ｃ）は正面から見た内部構造を示す図である。
【図１０】本発明による実施例２の同軸ケーブル接続器の概略構成を示す模式図であり、作用効果を説明する図である。
【図１１】本発明による実施例３の同軸ケーブル接続器の概略構成を示す模式図であり、図１１（ａ）は概略構成を示す図、図１１（ｂ）は作用効果を説明する図である。
【符号の説明】
【００５０】
１Ａ…端子部
１Ｂ…可動支点部
１Ｃ…溝
２…端子部の外部導体
２Ａ…開口部
２Ｂ…圧入蓋
３…同軸ケーブル
３Ａ…同軸ケーブルの中心導体
３Ｂ…同軸ケーブルの外部導体
４Ａ…可動支点部の中心導体
４Ｂ…ブッシュ
５…外部導体接続部
５Ａ…外部導体接続部の開口部
５Ｂ…外部導体接続部の内部空間
５Ｃ…開口部（溝）
６Ａ…外部導体接続部の内部空間の中心導体
６Ｂ…ブッシュ
７…抜け防止ピン
８…弾性体部材
９…バネ状の中心導体
１０…内バネ
１１…壁面
１２…テレビ端子
１３…プリント回路板
１４…圧入蓋
【図１】
2005216702.tif 000003
【図２】
2005216702.tif 000004
【図３】
2005216702.tif 000005
【図４】
2005216702.tif 000006
【図５】
2005216702.tif 000007
【図６】
2005216702.tif 000008
【図７】
2005216702.tif 000009
【図８】
2005216702.tif 000010
【図９】
2005216702.tif 000011
【図１０】
2005216702.tif 000012
【図１１】
2005216702.tif 000013